(57)【特許請求の範囲】
【請求項１】
仮名文字が割り当てられた複数のキーを有するキー入力手段と、
前記キー入力手段に割り当てられた仮名文字の入力を受け付ける受付手段と、
仮名文字と漢字とを対応付けて記憶する仮名漢字記憶手段と、
前記受付手段により受け付けた仮名文字を、前記仮名漢字記憶手段に基づいて漢字に変換する漢字変換手段と、
該漢字変換手段により変換された漢字に前記受付手段により受け付けた仮名文字を読み仮名として割り当てる読み仮名割当手段と、
前記漢字変換手段により変換された漢字の送り仮名を削除する削除手段と、
該削除手段により漢字の送り仮名が削除されたとき、前記仮名漢字記憶手段に記憶された該漢字に対応する仮名文字を表示する表示手段と、
前記読み仮名割当手段により読み仮名として漢字に割り当てられた仮名文字を、ユーザ操作に基づいて、前記表示手段により表示された仮名文字の１つに変更する読み仮名変更手段と
を備えることを特徴とする携帯情報機器。
【請求項２】
前記削除手段は、複数の仮名文字からなる送り仮名の少なくとも１文字が削除されたとき、全ての送り仮名を削除することを特徴とする請求項１に記載の携帯情報機器。
【請求項３】
前記漢字変換手段により変換された漢字の直前に漢字があるかを判断する判断手段と、
前記判断手段により直前に漢字があると判断されたとき、前記仮名漢字記憶手段に記憶された該直前の漢字に対応する仮名文字を表示する表示手段と、を備え、
前記読み仮名変更手段は、
該直前の漢字に読み仮名として割り当てられた仮名文字を、ユーザ操作に基づいて、前記表示手段により表示された仮名文字の１つに変更することを特徴とする請求項１または２に記載の携帯情報機器。
【請求項４】
仮名文字と漢字とを対応付けて記憶する仮名漢字記憶手段と、
修正対象とする読み仮名を削除する削除手段と、
前記削除手段により削除された読み仮名に基づいて、削除された読み仮名を含む漢字を特定する漢字特定手段と、
前記漢字特定手段により特定された漢字に対応する前記修正対象の削除されていない読み仮名を削除する読み仮名削除手段と、
前記仮名漢字記憶手段に記憶された、前記漢字特定手段により特定された漢字に対応す
る仮名文字を表示する表示手段と、
前記削除手段および前記読み仮名削除手段により削除された前記修正対象の読み仮名としての仮名文字を、ユーザ操作に基づいて、前記表示手段により表示された仮名文字の１つに変更する読み仮名変更手段と
を備えることを特徴とする携帯情報機器。
【請求項５】
前記読み仮名変更手段は、前記仮名漢字記憶手段により記憶される該漢字に対応する仮名文字が複数存在する場合に、変更する読み仮名として該複数の仮名文字を抽出する抽出手段を備え、
前記表示手段は、抽出された該複数の仮名文字を表示することを特徴とする請求項１乃至４に記載の携帯情報機器。
【発明の詳細な説明】
【技術分野】
【０００１】
本発明は、携帯情報機器に関し、特に例えばアドレス帳機能を有する携帯電話機に関するものである。
【背景技術】
【０００２】
従来、例えば携帯情報機器である携帯電話機には、アドレス帳機能を備えており、アドレス帳には、「名前」、「電話番号」、「メールアドレス」、「グループ」などの項目を登録することができる。特に、「名前」については、登録する名前の「読み仮名」を登録することができる。
【０００３】
アドレス帳に「名前」を登録するとき、ユーザは次のような操作を行う。まず、ユーザは、ひらがなが割り当てられたテンキーを押下することにより仮名文字を入力する。そして、ユーザは入力された仮名文字を漢字に変換する操作を行う。このような操作を行うことによって、ユーザは名前を漢字で登録することができるようになっている。また、現在の携帯電話機では、ユーザが名前を入力し登録する場合、テンキーの押下によって入力された漢字に変換するための仮名文字が自動的に「読み仮名」の項目にカタカナで登録されるようになっている。従って、ユーザは、わざわざ「読み仮名」の項目を入力し登録する手間を無くすことができるようになっている。
【０００４】
このように、ユーザが仮名文字を入力し、その仮名文字を漢字に変換する操作を行うと、読み仮名が自動的に入力される技術が、例えば特許文献１に記載されている。
【特許文献１】特開平５−８１２６３号公報
【発明の開示】
【発明が解決しようとする課題】
【０００５】
例えば、「名前」を「賢助」と登録したい場合、ユーザは「名前」の項目に「けんすけ」と入力し、漢字変換の操作を行うことで「けんすけ」を漢字に変換しようとする。しかしながら、「けんすけ」は、「健介」や「賢介」などには変換することができるが目的の「賢助」と変換することができないことが多い。
【０００６】
そのような場合、ユーザは、「賢」と「助」を１文字ずつ分けて漢字変換を行わなければならなくなる。「賢」という漢字を登録する場合、「けん」と仮名文字を入力し、漢字に変換することが多いが、読み仮名が「ケン」の漢字は非常に多く、「賢」を探し出すためには時間がかかる。このためユーザによっては、「かしこい」と入力し漢字変換を行うことが考えられる。このとき、ユーザは次のような操作を行う。ユーザは、「仮名文字で「かしこい」と入力し漢字変換の操作を行う。そして、ユーザは変換した「賢い」の送り仮名である「い」を削除し、「けんすけ」の「賢」を登録する。また、「助」という字を登録する場合、読み仮名が「ジョ」の漢字はたくさんあるため探す時間を要する。従って、ユーザは「たすける」と入力し漢字変換の操作を行う。そして、「助ける」の送り仮名である「ける」を削除する。このように、ユーザは、一連の操作を行うことで、「賢助」と登録することができるようになる。
【０００７】
しかしながら、現在の携帯電話機のアドレス帳の機能では、ユーザが入力した仮名文字がそのまま漢字の読み仮名として登録されてしまう。つまり、上述の例によれば「読み仮名」には、「カシコイタスケル」と登録されているため、ユーザは、改めて「ケンスケ」と入力しなければならなかった。
【０００８】
本発明は、上記のような課題を鑑み、読み仮名を入力するユーザの手間を省きながら、改めて読み仮名を入力し登録し直す手間を解消することを目的とするものである。
【課題を解決するための手段】
【０００９】
上記課題を解決するために本発明の第１の実施形態の携帯情報機器は、仮名文字が割り当てられた複数のキーを有するキー入力手段と、キー入力手段に割り当てられた仮名文字の入力を受け付ける受付手段と、仮名文字と漢字とを対応付けて記憶する仮名漢字記憶手段と、受付手段により受け付けた仮名文字を、仮名漢字記憶手段に基づいて漢字に変換する漢字変換手段と、該漢字変換手段により変換された漢字に受付手段により受け付けた仮名文字を読み仮名として割り当てる読み仮名割当手段と、漢字変換手段により変換された漢字の送り仮名を削除する削除手段と、該削除手段により漢字の送り仮名が削除されたとき、仮名漢字記憶手段に基づいて、読み仮名割当手段により該漢字に割り当てられた読み仮名と異なる読み仮名に変更する読み仮名変更手段とを備えることを特徴とするものである。
【発明の効果】
【００１０】
本発明の実施形態によれば、読み仮名を入力するユーザの手間を低減し、さらに自動的に登録された読み仮名をユーザが改めて入力して登録し直す手間も解消することができる。
【００１１】
この発明の上述の目的、その他の目的、特徴および利点は、図面を参照して行う以下の実施例の詳細な説明から一層明らかとなろう。
【発明を実施するための最良の形態】
【００１２】
［実施の形態１］
本発明の実施の形態１について、図１〜図５に基づいて説明する。
【００１３】
図１は、本発明の実施形態である携帯電話機１の外観の例を示している。携帯電話機１は、上部筐体２と下部筐体４とがヒンジ部３で連結されている。
【００１４】
図１に示す携帯電話機１の上部筐体２は、ディスプレイ５とスピーカ６とカメラ装置９とを備えている。一方、下部筐体４は、複数のキーが設けられた操作部７とマイクロフォン８と備えている。
【００１５】
図２は、図１に示す下部筐体４の外観を拡大した例である。図２に示す操作部７には、ソフトキー１１ａと１１ｂ、メール機能を起動するためのメールキー１２、Ｗｅｂ機能を起動するためのＷｅｂキー１３、上下左右の方向が割り当てられておりカーソルの移動や表示のスクロールを指示するための十字キー１４、ダイヤル（発呼）または着信に対して応答（オフフック）するための通話キー１５、文字入力モードにおいて入力した文字を削除するまたは１つ前の画面に戻るためのクリアキー１６、終話および電源をＯＮ／ＯＦＦするための電源キー１７、０〜９の数字や文字（ひらがな、英字）が割り当てられ、これらを入力するためのキー入力手段としてのテンキー１８と、＊キー１９および＃キー２０とが設けられている。
【００１６】
図３は、本実施の形態１の携帯電話機１のブロック図を示している。この実施の形態１の携帯電話機１は、無線通信部３０、ＣＰＵ４８、バッテリ５０、電源供給部５２、操作部５４、ディスプレイ５６、漢字変換処理部５８、読み仮名変換処理部６０、メモリ６２を含む。
【００１７】
無線通信部３０は、アンテナ３２、無線部３４、信号処理部３６、ＡＤ／ＤＡ変換部３８、アンプ４０、４２、スピーカ４４およびマイクロフォン４６を含んでいる。携帯電話機１は、基地局と無線接続してアンテナ３２により音声データを受信する。受信した音声データは、無線部３４によって復調された後、信号処理部によって信号処理が施される。信号処理が施された音声データは、ＡＤ／ＤＡ変換部３８によってアナログ信号である音声信号に変換される。変換された音声信号は、アンプ４０を介してスピーカ４４から出力される。また、携帯電話機１のユーザがマイクロフォン４６に音声を発した場合、音声信号は、アンプ４２を介し、ＡＤ／ＤＡ変換部３８によってデジタル信号である音声データに変換される。信号処理部３６は、変換された音声データを符号化し、無線部３４は、信号処理部３６から出力される音声データを変調する。そして、変調された音声データは、アンテナ３２から送信される。
【００１８】
次にＣＰＵ４８は、携帯電話機１の各構成の制御を司る機能を備えている。電源部５０は、バッテリ５２から携帯電話機１の各構成に電源供給を行う。ここでバッテリ５２は、リチウムイオン電池など何れの電池であってもよい。
【００１９】
操作部５４は、ユーザ操作を受け付け、受け付けたユーザ操作をＣＰＵ４８へ出力する。この操作部５４は、上述したソフトキー１１ａと１１ｂ、メールキー１２、Ｗｅｂキー１３、十字キー１４、通話キー１５、クリアキー１６、電源キー１７、テンキー１８、＊キー１９および＃キー２０とを含む。ディスプレイ５６は、ＣＰＵ４８が指示する情報を表示する。具体的には、メニュー画面、メール、Ｗｅｂ情報、カメラ９で撮影した静止／動画像などを表示するものであり、ＬＣＤ（Ｌｉｑｕｉｄ  Ｃｒｙｓｔａｌ  Ｄｉｓｐｌａｙ）や有機ＥＬ（Ｏｒｇａｎｉｃ  Ｅｌｅｃｔｒｏｌｕｍｉｎｅｓｃｅｎｃｅ  Ｄｉｓｐｌａｙ）などが用いられる。
【００２０】
漢字変換処理部５８は、メモリ６２に記憶された仮名漢字辞書６６に基づいて、テンキー１８によって入力された仮名文字を漢字に変換する。ここでの漢字には、漢字だけの文字列に加え、仮名交じり文字も含むものとする。仮名交じり文字とは、漢字と仮名とが混ざった文字列のことをいう。
【００２１】
読み仮名変換処理部６０は、修正したい読み仮名に対応する漢字をメモリ６２に記憶された仮名漢字辞書６６に基づいて特定し、修正したい読み仮名を特定した漢字に対応付けて記憶する異なる読み仮名に変換する。メモリ６２は、携帯電話機１を制御するためのＣＰＵ４８が実行するプログラムや様々なアプリケーション、静止／動画像や音楽データなどを記憶する。そして、このメモリ６２には、アドレス帳６４および仮名漢字辞書６６を備えている。アドレス帳６４は、アドレス帳メモリ番号、名前、読み仮名、電話番号などの項目を記憶するものである。仮名漢字辞書６６は、仮名文字の読みに対応付けて漢字を記憶する仮名漢字テーブルと、漢字に割り当てられた訓読み、音読みおよび名乗りを記憶する漢和辞書テーブルを記憶している。ここで名乗りとは、漢字が持つ通常の読み方とは別に、日本人の名前に用いられる訓のことをいう。なお、メモリ６０は、情報を記憶するものであればよく、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、不揮発性メモリやハードディスクなどが用いられる。
【００２２】
図４は、メモリ６２に記憶されている仮名漢字テーブルを示す。仮名漢字テーブルには、「読み」と「漢字」という項目から構成される。「読み」には、「漢字」に記憶する漢字の読みが記憶されている。「漢字」には、「読み」に対応する漢字が記憶されている。例えば、「読み」が「かしこい」であれば、「漢字」には、「賢い」が記憶されている。
【００２３】
図５は、メモリ６２に記憶されている漢和辞書テーブルを示す。漢和辞書テーブルには、「漢字」、「画数」、「音読み」、「訓読み」、「名乗り」という項目から構成される。「漢字」には、漢字が記憶されている。「画数」には、「漢字」に記憶する漢字の画数が記憶されている。「音読み」には、「漢字」に記憶する漢字の音読みが記憶されており、「訓読み」には、漢字の訓読みが記憶されている。「名乗り」には、「漢字」に記憶する漢字が持つ名乗りが記憶されている。例えば、「賢」という漢字の場合、「漢字」に「賢」が記憶され、「画数」には「１６」、「音読み」には「ケン」が記憶されている。「訓読み」には、「かしこ・・・い」が記憶されている。なお、「・・・」に続く「い」は、送り仮名であることを表す。「名乗り」には、「かた／かつ／さか／さかし／さと／さとし／さとる／すぐる／たか／ただ／ただし／とし／のり／まさ／まさる／ます／やす／よし／より」が記憶されている。
【００２４】
本実施の形態１における携帯電話機１のＣＰＵ４８の処理動作を図６に示すフローチャートを用いて説明する。ここでは、例としてユーザがアドレス帳の「名前」の項目に「賢助」と登録し、「読み仮名」の項目に「ケンスケ」と登録する場合について説明する。
【００２５】
ステップＳ１では、ユーザにより操作されたテンキーに応じた仮名文字を入力し、ステップＳ３に進む。例えば、ユーザが「かしこい」と入力すると、ディスプレイ５６には、図７（ａ）の画面が表示される。ステップＳ３では、ユーザによりステップＳ１で入力した仮名文字を漢字に変換する操作がされたか判断する。ここでＹＥＳであればステップＳ５に進む。ステップＳ５では、仮名漢字辞書６６に基づいて、ＣＰＵ４８は漢字変換処理部５８によって入力した仮名文字に対応する漢字へ変換させ、ステップＳ７に進む。例えば、ディスプレイ５６には、図７（ａ）の画面で変換指示を行うと、図７（ｂ）の画面が表示される。
【００２６】
ステップＳ７では、ユーザによりステップＳ５で変換した漢字を確定する操作が行われたか判断する。ここでＹＥＳであれば変換した漢字が登録されてステップＳ１５に進み、ＮＯであればステップＳ５に戻る。一方、ステップＳ３でＮＯであれば、ステップＳ９に進む。ステップＳ９では、ユーザによりステップＳ１で入力した仮名文字をカタカナ変換する操作がされたか判断する。ここでＹＥＳであればステップＳ１１でカタカナに変換し、ステップＳ１３に進む。ステップＳ１３では、ユーザによりステップＳ１１で変換したカタカナを確定する操作が行われたか判断する。ここでＹＥＳであればス変換したカタカナを登録しテップＳ１７に進み、ＮＯであればステップＳ１１に戻る。もし、ステップＳ９でＮＯであれば、ステップＳ１５に進む。ステップＳ１５では、ユーザによりステップＳ１で入力した仮名文字を確定する操作が行われたか判断する。ＹＥＳであれば入力した仮名文字を登録しステップＳ１７に進み、ＮＯであればステップＳ１に戻る。
【００２７】
ステップＳ１７では、ステップＳ１で入力した仮名文字を「読み仮名」としてカタカナで登録し、ステップＳ１９に進む。例えば、ディスプレイ５６には、図７（ｂ）の画面で確定指示を行うと、図７（ｃ）の画面が表示される。この図７（ｃ）では、「名前」に「賢い」が登録されており、「読み仮名」には「カシコイ」が登録されている。
【００２８】
ステップＳ１９では、ステップＳ７、ステップＳ１３およびステップＳ１５で確定する操作により登録した文字に送り仮名があるか判断する。ステップＳ１３およびステップＳ１５で確定する操作により登録した文字には、送り仮名がないため、ＮＯと判断しステップＳ２７に進み。もし、ステップＳ７で確定する操作により登録した漢字に送り仮名があるのであればＹＥＳと判断し、ステップＳ２１に進む。ステップＳ２１では、ユーザにより送り仮名を削除する操作が行われたか判断する。削除する操作が行われなければＮＯと判断し、ステップＳ２７に進む。一方、ステップＳ２１で削除する操作が行われればＹＥＳと判断し、ステップＳ２３に進む。
【００２９】
ステップＳ２３でＣＰＵ４８は、送り仮名が削除されて残った漢字について、仮名漢字辞書６６に基づいて、読み仮名変更処理部６０によりステップＳ１７で登録した読み仮名を異なる読み仮名に変更させる。例えば、ディスプレイ５６には、図７（ｃ）で登録されている「賢い」の送り仮名である「い」を削除すると、図７（ｄ）の画面が表示される。図７（ｄ）の画面では、「名前」には「賢」が登録される。そして、ＣＰＵ４８は、読み仮名変更部６０に仮名漢字辞書６６から対応する複数の読み仮名を抽出させ、ディスプレイ５６に抽出した読み仮名の候補を表示させている。ステップＳ２３で読み仮名を変更すると、ステップＳ２５では、ユーザにより変更された読み仮名に確定する確定操作が行われたか判断する。ここで、確定操作が行われれば、ユーザにより変更された読み仮名を登録しＹＥＳと判断しステップＳ２７に進み、確定操作が行われなければ、ステップＳ２３に戻る。ステップＳ２７では、ユーザにより終了操作が行われたか判断する。ＹＥＳであれば終了する。例えば、ディスプレイ５６には、図７（ｄ）の画面でユーザが「ケン」を選択すると、図７（ｃ）の画面において、「カシコイ」と登録されていた「読み仮名」が「ケン」に変更して登録された図７（ｅ）の画面が表示される。
【００３０】
さらに、「賢」に続けて「賢助」の「助」を登録するときには、ステップＳ２７において、ＮＯでありステップＳ１に戻る。「助」の場合、ステップＳ１において「たすける」と入力し、ＣＰＵ４８は、ステップＳ５で漢字変換処理部５８により「助ける」に変換させ、確定する操作により「助ける」を登録する。これによりステップＳ１７において、「読み仮名」には「タスケル」が登録される。そして、ステップＳ２１において、ユーザが登録した漢字「助ける」の送り仮名である「ける」を削除するとステップＳ２３において、ＣＰＵ４８は、読み仮名変更部６０により「読み仮名」の「タスケル」を「スケ」に変換し登録する。
【００３１】
以上のように本発明の実施の形態１の携帯電話機１は、アドレス帳の「名前」を登録する場合、ユーザの操作に応じて仮名文字を入力し、入力した仮名文字に対応する漢字に変換すると、アドレス帳の「読み仮名」には入力した仮名文字を登録する。そして、ユーザの操作に応じて、変換した漢字の送り仮名を削除すると、「読み仮名」に登録していた仮名文字を、送り仮名が削除された漢字に対応する異なる読み仮名に変更する。
【００３２】
これにより、ユーザは、改めて「読み仮名」を入力し登録し直す手間を解消することができるようになる。
［実施形態２］
本実施の形態２における携帯電話機１の外観は、実施の形態１と同一であり、携帯電話機１のブロック図も実施の形態１と同一であるため説明は省略する。そして、本実施の形態２における携帯電話機１のＣＰＵ４８の処理動作を図８に示すフローチャートを用いて説明する。
【００３３】
なお、図８に示すフローチャートのステップＳ１乃至ステップＳ２５までは、実施の形態１における図４のフロー図と同一であるので説明は行わない。ここで実施の形態１の図６のフローチャートと図８のフローチャートの異なる点は、ステップＳ３１乃至ステップＳ３５までの処理である。従って、ここではステップＳ３１乃至ステップＳ３５以外の説明を省略する。
【００３４】
ステップＳ３１では、ＣＰＵ４８は、「名前」に残っている漢字の直前に漢字があるか判断する。漢字があればＹＥＳであり、ステップＳ３３に進む。直前に漢字がなければＮＯであり、ステップＳ２７に進む。例えば、実施の形態１で説明したように「名前」に「賢助」の「賢」が登録されている場合は、１文字目であるためステップＳ３１においてはＮＯと判断しステップＳ２７に進む。一方、「賢助」の「助」が登録する場合は、登録する「助」の文字が２文字目にあたる。そのためステップＳ３１において、ＹＥＳと判断し、ステップＳ３３に進む。ステップＳ３３では、既に登録されている漢字「賢」に対応する「読み仮名」を、ＣＰＵ４８は、仮名漢字辞書６６に基づいて、読み仮名変更部６０によりその漢字に対応する異なる読み仮名に変更させる。ステップＳ３５では、変更された読み仮名に確定する確定操作が行われたか判断する。確定操作が行われれば変更された読み仮名を登録し、ＹＥＳと判断しステップＳ２７に進み、確定操作が行われなければ、ステップＳ３３に戻る。
【００３５】
以上のように本発明の実施の形態２の携帯電話機１によれば、実施の形態１と同様の効果が得られる。さらに、既に登録し終えている漢字に対応する「読み仮名」も変更することができるようになる。
［実施の形態３］
本実施の形態３における携帯電話機１の外観は、実施の形態１と同一であり、携帯電話機１のブロック図も実施の形態１と同一であるため説明は省略する。そして、本実施の形態３における携帯電話機１のＣＰＵ４８の処理動作を図９に示すフローチャートを用いて説明する。
【００３６】
なお、本実施の形態３は、図１０（ａ）のように「名前」に「信哉」と入力され、「読み仮名」に「シンヤ」と登録されている状態から読み仮名の「シンヤ」の「シ」を削除することにより「ノブヤ」に変換する場合について説明する。
【００３７】
ステップＳ４１では、ユーザによる操作部５４の操作があるか判断する。操作があればＹＥＳでありステップＳ４３に進む。操作がなければ操作があるかの判断を繰り返すためステップＳ４１に戻る。ステップＳ４３では、「読み仮名」を入力する操作か判断する。ＹＥＳであればステップＳ４５に進み、ユーザの操作に応じた文字をカタカナで入力して、ステップＳ５５に進む。
【００３８】
一方、ステップＳ４３でＮＯであれば、ステップＳ４７に進む。ステップＳ４７では、登録されている「読み仮名」を削除する操作か判断する。ＮＯであればステップＳ５３に進み、操作に応じた処理を行う。一方、ステップＳ４７で、ＹＥＳであればステップＳ４９に進む。ステップＳ４９では、読み仮名変更部６０は、仮名漢字辞書６６に基づいて、削除された読み仮名を含む漢字を特定する。そして、特定した漢字に対応する読み仮名を仮名漢字辞書６６に基づいて削除し、ステップＳ５１に進む。例えば、ユーザは、図１０（ａ）の画面で「シン」と登録されている読み仮名の「シ」を削除する。これにより、ＣＰＵ４８は、この削除された「シ」から仮名漢字辞書６６に基づいて、名前に登録されている漢字の「信」を特定する。さらに、特定した漢字「信」に対応付けて記憶されている読み仮名「シン」を特定し、削除されていない読み仮名「ン」を削除する。
【００３９】
ステップＳ５１では、ステップＳ４９で特定した漢字について、仮名漢字辞書６６に基づいて、これまでに登録されていた読み仮名とは異なる読み仮名に変更して登録し、ステップＳ５５に進む。この場合、例えばディスプレイ５６には、これまでに登録されていた「シン」から「ノブ」に変更し登録されている状態の図１０（ｃ）の画面が表示される。
【００４０】
なお、ステップＳ５１で読み仮名を入力した後、実施の形態１における図６のフローチャートのステップＳ２５のように確定するかどうかをユーザに操作させるようにしてもよい。
【００４１】
以上のように本発明の実施の形態３の携帯電話機１によれば、登録されている「読み仮名」の一部を削除するだけで、異なる「読み仮名」に変換することができるようになる。
【００４２】
なお、本実施の形態１乃至３の携帯電話機１において、読み仮名を変換するとき、ユーザに変換する読み仮名を選択できるようにしているが、予め変換する読み仮名の順番を決めておき、特定のキーを操作することにより、トグル式に表示する読み仮名を切り替えるようにしてもよい。
【００４３】
また、本実施の形態１乃至３の携帯電話機１において、仮名文字から変換した漢字の送り仮名を削除したとき、ＣＰＵ４８は、該送り仮名が削除された漢字は、登録されている漢字の何文字目にあたるかを判断し、その判断結果に基づいて、読み仮名の変換候補を表示する順番を変更することも可能である。例えば、本実施の形態１における「賢」を登録する場合は、１文字目である。従って、１文字で名前の入力が終了する可能性があるため、１文字のときの読み仮名、つまり、「あきら」や「まこと」を優先的に表示するようにしてもよい。
【００４４】
また、本実施の形態１または２の携帯電話機１において、送り仮名が複数文字ある場合、複数文字のうち少なくとも１文字が削除されると、送り仮名の全てが削除されることとしてもよい。
【図面の簡単な説明】
【００４５】
【図１】本発明の実施の形態１乃至３における携帯電話機の外観の一例を示した図である。また（ａ）は携帯電話機のオープンスタイルを正面から見た図１（ｂ）は携帯電話機のオープンスタイルを背面から見た図である。
【図２】本発明の実施の形態１乃至３における携帯電話機１の下部筐体４の詳細を示した部分図である。
【図３】本発明の実施の形態１乃至３における携帯電話機１の機能構成を示した機能ブロック図である。
【図４】本発明の実施の形態１乃至３における携帯電話機１に適用される仮名漢字テーブルの一例を示すフローチャートである。
【図５】本発明の実施の形態１乃至３における携帯電話機１に適用される漢和辞書テーブルの一例を示すフローチャートである。
【図６】本発明の実施の形態１における携帯電話機１に適用ＣＰＵの動作の一部を示すフローチャートである。
【図７】本発明の実施の形態１における携帯電話機１に適用される表示の一例である。
【図８】本発明の実施の形態２における携帯電話機１に適用ＣＰＵの動作の一部を示すフローチャートである。
【図９】本発明の実施の形態３における携帯電話機１に適用されるＣＰＵの動作の一部を示すフローチャートである。
【図１０】本発明の実施の形態３における携帯電話機１に適用される表示の一例である。
【符号の説明】
【００４６】
１    携帯電話機
２    上部筐体
３    ヒンジ部
４    下部筐体
５    表示部
６    スピーカ
７    操作部
８    マイクロフォン
９    カメラ装置
３２  アンテナ
３４  無線部
３６  信号処理部
３８  ＡＤ／ＤＡ変換部
４０、４２  アンプ
４４  スピーカ
４６  マイクロフォン
４８  ＣＰＵ
５０  電源供給部
５２  バッテリ
５４  操作部
５６  ディスプレイ
５８  漢字変換処理部
６０  読み仮名変換処理部
６２  メモリ
【図１】
0005261005.tif 000002
【図２】
0005261005.tif 000003
【図３】
0005261005.tif 000004
【図４】
0005261005.tif 000005
【図５】
0005261005.tif 000006
【図６】
0005261005.tif 000007
【図７】
0005261005.tif 000008
【図８】
0005261005.tif 000009
【図９】
0005261005.tif 000010
【図１０】
0005261005.tif 000011